(57)【特許請求の範囲】
【請求項１】
コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、
天板に、バーナ用開口の周縁部に位置させて、五徳の環状の五徳枠が外嵌する環状隆起部が絞り成形され、環状隆起部の外周面に、径方向内方に凹入する溝部が形成され、この溝部に五徳に設けた突部を係合させて、五徳を回り止めするものにおいて、
天板に、環状隆起部の外周面の溝部が形成されていない複数箇所の下部から径方向外方に張出す上方に凸の受け座が絞り成形され、これら受け座に五徳枠が着座して、溝部の径方向外端部に隣接する天板部分の上面と五徳枠との間に隙間が確保されることを特徴とするガスコンロ。
【請求項２】
請求項１記載のガスコンロであって、前記コンロ本体にグリルが組み込まれるものにおいて、
前記天板の後部に、前記環状隆起部とは別の上方に隆起する隆起部が絞り成形され、この隆起部に、グリル内の排ガスを排出する複数の排気孔が形成されることを特徴とするガスコンロ。
【発明の詳細な説明】
【技術分野】
【０００１】
本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロに関する。
【背景技術】
【０００２】
従来、この種のガスコンロとして、コンロバーナに外挿した状態で天板上に載置されるバーナリングを備え、このバーナリングに五徳の環状の五徳枠を外嵌させて、五徳を芯決めすると共に、バーナリングの外周部に切欠きを形成し、この切欠きに五徳に設けた突部を係合させて、五徳を回り止めするものが知られている（例えば、特許文献１参照）。
【０００３】
ところで、部品点数を削減してコストダウンを図るため、天板に、バーナ用開口の周縁部に位置させて、五徳の環状の五徳枠が外嵌する上記従来例のバーナリングに相当する環状隆起部を絞り成形し、バーナリングを省略することが考えられる。この場合、環状隆起部の外周部に切欠きを形成したのでは、煮こぼれが切欠きからコンロ本体内に落下する。
【０００４】
そのため、環状隆起部の外周面に、径方向内方に凹入する溝部を形成し、この溝部に五徳に設けた突部を係合させて、五徳を回り止めすることが望まれる。これによれば、溝部に煮こぼれが流入しても、コンロ本体内に煮こぼれが落下することはない。
【０００５】
然し、これでは、以下の不具合を生ずることが判明した。即ち、五徳枠が環状隆起部に外嵌した状態で天板に載置されるため、溝部の径方向外端部に隣接する天板部分の上面に五徳枠が着座することになる。その結果、溝部に流入した煮こぼれが五徳枠で堰き止められて溝部内に溜り、コンロバーナからの熱で煮こぼれが溝部にこびり付きやすくなる。
【先行技術文献】
【特許文献】
【０００６】
【特許文献１】特開２０１０−２１０４号公報（段落００１４、図２）
【発明の概要】
【発明が解決しようとする課題】
【０００７】
本発明は、以上の点に鑑み、上記溝部での煮こぼれのこびり付きを防止できるようにしたガスコンロを提供することをその課題としている。
【課題を解決するための手段】
【０００８】
上記課題を解決するために、本発明は、コンロ本体と、コンロ本体の上面を覆う天板と、天板に開設したバーナ用開口を通して天板上に突出するコンロバーナと、天板上にバーナ用開口を囲うようにして載置される五徳とを備えるガスコンロであって、天板に、バーナ用開口の周縁部に位置させて、五徳の環状の五徳枠が外嵌する環状隆起部が絞り成形され、環状隆起部の外周面に、径方向内方に凹入する溝部が形成され、この溝部に五徳に設けた突部を係合させて、五徳を回り止めするものにおいて、天板に、環状隆起部の外周面の溝部が形成されていない複数箇所の下部から径方向外方に張出す上方に凸の受け座が絞り成形され、これら受け座に五徳枠が着座して、溝部の径方向外端部に隣接する天板部分の上面と五徳枠との間に隙間が確保されることを特徴とする。
【０００９】
本発明によれば、溝部に煮こぼれが流入しても、溝部の径方向外端部に隣接する天板部分の上面と五徳枠との間に確保される隙間を介して煮こぼれが溝部の外方に流れ出る。従って、煮こぼれが溝部に溜ってこびり付くことを効果的に防止できる。
【００１０】
ところで、コンロ本体にグリルが組み込まれた従来のグリル付きコンロでは、天板の後部に開設したグリル用排気口を覆う排気ガードを天板に載置している。ここで、天板の後部に、環状隆起部とは別の上方に隆起する隆起部を絞り成形し、この隆起部に、グリル内の排ガスを排出する複数の排気孔を形成すれば、従来のバーナリングに相当する環状隆起部に加えて、従来の排気ガードに相当する隆起部が天板に一体に形成されることになり、部品点数の削減によるコストダウンを図ることができる。
【図面の簡単な説明】
【００１１】
【図１】本発明の実施形態のガスコンロの斜視図。
【図２】実施形態のガスコンロの五徳を持ち上げた状態の要部の斜視図。
【図３】図１のＩＩＩ−ＩＩＩ線で切断した断面図。
【発明を実施するための形態】
【００１２】
図１を参照して、１は本発明の実施形態のガスコンロを示している。このガスコンロは、上面を開放面とする箱形のコンロ本体２と、コンロ本体２の上面を覆う板金製の天板３と、天板３に開設した左右一対のバーナ用開口３１，３１を通して天板３上に突出する左右一対のコンロバーナ４，４と、コンロ本体２の横方向中間部に組み込んだグリル５と、天板３上にバーナ用開口３１，３１を囲うようにして載置される左右一対の五徳６，６とを備えている。
【００１３】
各コンロバーナ４は、図３に示す如く、コンロ本体２内に設置される混合管４１と、混合管４１に一体で、各バーナ用開口３１を通して天板３の上方に突出するバーナボディ４２と、バーナボディ４２に載置されるバーナキャップ４３とを有する。バーナボディ４２は、内筒４２ａと外筒４２ｂとを有する内外２重筒構造に構成されている。バーナキャップ４３は環状であって、内周に、バーナボディ４２の内筒４２ａに内嵌する筒部４３ａが垂設されている。バーナキャップ４３の下面外周部には、バーナボディ４２の外筒４２ｂの上端部に着座する筒状壁４３ｂが垂設され、この筒状壁４３ｂに、周方向の間隔を存して多数の炎孔４４（図２参照）が形成されている。尚、五徳６の後述する五徳爪６２と同一方位に位置する筒状壁４３ｂの部分には、火炎が五徳爪６２に触れて不完全燃焼することを防止するため、小炎孔４４ａを形成している。
【００１４】
バーナキャップ４３上には、バーナキャップ４３の上面との間に二次空気用の通気間隙を画成する環状の二次空気ガイド４５が設けられている。また、コンロバーナ４には、五徳６に載せる調理容器の底面に当接する鍋底温度センサ４６と、点火電極４７と、熱電対４８とが付設されている。
【００１５】
天板３には、図２、図３に明示する如く、各バーナ用開口３１の周縁部に位置させて、上方に隆起する環状隆起部３２が絞り成形されている。環状隆起部３２の外周面の半周離れた前後２個所には、径方向内方に凹入する溝部３３が形成されている。また、天板３の後部には、環状隆起部３２とは別の上方に隆起する略方形の隆起部３５が絞り成形されている。この隆起部３５には複数の排気孔３５ａが形成されており、これら排気孔３５ａからグリル５内の排ガスが排出される。
【００１６】
尚、従来のガスコンロでは、コンロバーナに外挿されるバーナリングと、天板後部のグリル用排気口を覆う排気ガードとを天板に載置しているが、本実施形態の如くバーナリングに相当する環状隆起部３２と、排気ガードに相当する方形隆起部３５とを絞り成形で天板３に一体に形成することにより、部品点数を削減してコストダウンを図ることができる。
【００１７】
各五徳６は、環状隆起部３２に外嵌する環状の五徳枠６１と、五徳枠６１に放射状に固定した複数の五徳爪６２とで構成される。各五徳爪６２は、上辺部と下辺部とを有する略コ字状に形成され、下辺部の径方向内端で五徳枠６１に固定されている。また、複数の五徳爪６２のうち半周離れた所定の２つの五徳爪６２の下辺部には、五徳枠６１の内周面から径方向内方に突出する突部６３が形成されており、この突部６３が環状隆起部３２の外周面の溝部３３に係合する。
【００１８】
五徳６は、五徳枠６１を環状隆起部３２に外嵌させることにより芯決めされ、突部６３を溝部３３に係合させることにより、五徳爪６２が小炎孔４４ａと同一方位に位置する所定の位相で回り止めされる。また、溝部３３に煮こぼれが流入しても、コンロ本体２内に煮こぼれが落下することはない。但し、溝部３３の径方向外端部に隣接する天板部分の上面に五徳枠６１が着座すると、溝部３３に流入した煮こぼれが五徳枠６１で堰き止められて溝部３３内に溜り、コンロバーナ４からの熱で煮こぼれが溝部３３にこびり付きやすくなる。
【００１９】
そこで、本実施形態では、天板３に、環状隆起部３２の外周面の溝部３３が形成されていない複数箇所（具体的には、前側の溝部３３から周方向一方と他方に離れた２箇所と、後側の溝部３３の周方向両側に隣接する２箇所との計４箇所）の下部から径方向外方に張出す上方に凸の受け座３４を絞り成形し、これら受け座３４に五徳枠６１が着座するようにしている。
【００２０】
これによれば、溝部３３の径方向外端部に隣接する天板部分の上面と五徳枠６１との間に受け座３４の高さ分の隙間が確保される。そのため、溝部３３に煮こぼれが流入しても、上記隙間を介して煮こぼれが溝部３３の外方に流れ出る。従って、煮こぼれが溝部３３に溜ってこびり付くことを効果的に防止できる。
【００２１】
以上、本発明の実施形態について図面を参照して説明したが、本発明はこれに限定されない。例えば、上記実施形態では、環状隆起部３２の外周面の２箇所に溝部３３を形成しているが、溝部３３の形成箇所は１箇所或いは３箇所以上であってもよい。また、上記実施形態では、溝部３３に係合する突部６３を五徳爪６２に形成しているが、五徳枠６１に突部を形成することも可能である。
【符号の説明】
【００２２】
１…ガスコンロ、２…コンロ本体、３…天板、３１…バーナ用開口、３２…環状隆起部、３３…溝部、３４…受け座、３５…天板後部の隆起部、３５ａ…排気孔、４…コンロバーナ、６…五徳、６１…五徳枠、６３…突部。
【図１】
0005438079.tif 000002
【図２】
0005438079.tif 000003
【図３】
0005438079.tif 000004